(57)【要約】【課題】相互に電話番号を明示的に教え合うことなく通話することができ、個人情報の保護を十分に図ることを課題とする。【解決手段】携帯端末装置１０（発信側）は、通話を希望する着信先のメンバの氏名の選択をボタン操作入力によって受け付けると、選択を受け付けた氏名に対応する着信先電話番号を検索して取得した着信先電話番号に対して、発信者電話番号と電話番号隠蔽フラグとを含んだ非通知発信リクエストを送信する。携帯端末装置１０（着信側）は、受信した非通知着信リクエストに電話番号隠蔽フラグが含まれている場合には、発信元電話番号に対応する氏名を検索して取得し、ディスプレイなどの表示部に取得した氏名とともに着信画面を表示する。【選択図】        図１
2008109223.tif 000002
【特許請求の範囲】
【請求項１】
ネットワークを介して、発信リクエストの送信および着信リクエストの受信を行う携帯端末装置であって、
他の携帯端末装置の利用者の氏名情報と、当該他の携帯端末装置の電話番号情報とを対応付けて記憶する電話番号情報記憶手段と、
利用者から着信先として他の携帯端末装置の利用者の氏名の選択を受け付けた場合に、前記電話番号情報記憶手段に記憶されている電話番号情報の中から、当該選択を受け付けた氏名に対応する着信先電話番号を検索して取得する着信先電話番号取得手段と、
前記着信先電話番号取得手段により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信手段と、
前記発信リクエスト送信手段により送信された前記発信リクエストを着信リクエストとして受信する着信リクエスト受信手段と、
前記着信リクエスト受信手段により前記着信リクエストを受信した場合に、当該着信リクエストに前記電話番号隠蔽フラグが含まれているか否か確認する電話番号隠蔽フラグ確認手段と、
前記電話番号隠蔽フラグ確認手段により前記電話番号隠蔽フラグが前記着信リクエストに付加されているものと確認された場合には、前記電話番号情報記憶手段に記憶されている携帯端末装置の利用者の氏名情報の中から、前記発信元電話番号に対応付けられた氏名を検索して取得する氏名情報取得手段と、
前記氏名情報取得手段により取得された前記氏名のみを表示部に表示するように制御する表示制御手段と、
を備えたことを特徴とする携帯端末装置。
【請求項２】
前記電話番号情報記憶手段は、前記氏名情報および電話番号情報の有効期限をさらに記憶し、
前記電話番号情報記憶手段により記憶されている前記氏名情報および前記電話番号情報の有効期限を確認する有効期限確認手段をさらに備え、
前記発信リクエスト送信手段は、前記着信先電話番号取得手段により取得された着信先電話番号情報について、前記有効期限確認手段により前記有効期限を超過していないことが確認されている場合には、当該着信先電話番号に対して発信リクエストを送信するように制御し、
前記表示制御手段は、前記着信リクエスト受信手段により受信された前記着信リクエストについて、前記有効期限確認手段により前記電話番号情報の有効期限が超過していることが確認されている場合には、非通知表示を表示するように制御することを特徴とする請求項１に記載の携帯端末装置。
【請求項３】
前記電話番号情報記憶手段により記憶されている前記氏名情報、前記電話番号および前記有効期限の新規登録、変更および削除を受け付ける情報操作受付手段をさらに備えたことを特徴とする請求項１または２に記載の携帯端末装置。
【請求項４】
前記情報操作受付手段は、ネットワーク配信を介して、前記電話番号情報記憶手段により記憶されている前記氏名情報、前記電話番号および前記有効期限の新規登録、変更および削除を受け付けることを特徴とする請求項３に記載の携帯端末装置。
【請求項５】
前記情報操作受付手段は、外部媒体を介して、前記電話番号情報記憶手段により記憶されている前記氏名情報、前記電話番号および前記有効期限の新規登録、変更および削除を受け付けることを特徴とする請求項３に記載の携帯端末装置。
【請求項６】
前記電話番号情報記憶手段により記憶されている前記氏名情報および前記電話番号情報について、前記有効期限確認手段により有効期限を超過しているか否か定期的に確認して、確認の結果、当該有効期限を超過していることが確認された場合には、当該有効期限を超過している氏名情報および電話番号情報を削除する情報削除手段をさらに備えたことを特徴とする請求項２〜５のいずれか一つに記載の携帯端末装置。
【請求項７】
ネットワークを介した発信リクエストおよび着信リクエストの送受信を制御するリクエスト送受信制御方法であって、
他の携帯端末装置の利用者の氏名情報と、当該他の携帯端末装置の電話番号情報とを対応付けて記憶する電話番号情報記憶工程と、
利用者から着信先として他の携帯端末装置の利用者の氏名の選択を受け付けた場合に、前記電話番号情報記憶工程に記憶されている電話番号情報の中から、当該選択を受け付けた氏名に対応する着信先電話番号を検索して取得する着信先電話番号取得工程と、
前記着信先電話番号取得工程により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信工程と、
前記発信リクエスト送信工程により送信された前記発信リクエストを着信リクエストとして受信する着信リクエスト受信工程と、
前記発信リクエスト受信工程により前記発信リクエストを受信した場合に、当該発信リクエストに前記電話番号隠蔽フラグが含まれているか否か確認する電話番号隠蔽フラグ確認工程と、
前記電話番号隠蔽フラグ確認工程により前記着信リクエストに前記電話番号隠蔽フラグが付加されているものと確認された場合には、前記電話番号情報記憶工程に記憶されている携帯端末装置の利用者の氏名情報の中から、前記発信元電話番号に対応付けられた氏名を検索して取得する氏名情報取得工程と、
前記氏名情報取得工程により取得された前記氏名のみを表示部に表示するように制御する表示制御工程と、
を含んだことを特徴とするリクエスト送受信制御方法。
【請求項８】
前記電話番号情報記憶工程は、前記氏名情報および電話番号情報の有効期限をさらに記憶し、
前記電話番号情報記憶工程により記憶されている前記氏名情報および前記電話番号情報の有効期限を確認する有効期限確認工程をさらに含み、
前記発信リクエスト送信工程は、前記着信先電話番号取得工程により取得された着信先電話番号について、前記有効期限確認工程により前記有効期限を超過していないことが確認されている場合には、当該着信先電話番号情報に対して発信リクエストを送信するように制御し、
前記表示制御工程は、前記発信リクエスト受信工程により受信された発信リクエストについて、前記有効期限確認工程により前記電話番号情報の有効期限が超過していることが確認されている場合には、非通知表示を表示するように制御することを特徴とする請求項７に記載のリクエスト送受信制御方法。
【請求項９】
ネットワークを介した発信リクエストおよび着信リクエストの送受信を制御するリクエスト送受信制御方法を携帯端末装置としてのコンピュータに実行させるリクエスト送受信制御プログラムであって、
他の携帯端末装置の利用者の氏名情報と、当該他の携帯端末装置の電話番号情報とを対応付けて記憶する電話番号情報記憶手順と、
利用者から着信先として他の携帯端末装置の利用者の氏名の選択を受け付けた場合に、前記電話番号情報記憶手順により所定の記憶部に記憶されている電話番号情報の中から、当該選択を受け付けた氏名に対応する着信先電話番号を検索して取得する着信先電話番号取得手順と、
前記着信先電話番号取得手順により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信手順と、
前記発信リクエスト送信手順により送信された前記発信リクエストを着信リクエストとして受信する着信リクエスト受信手順と、
前記着信リクエスト受信手順により前記着信リクエストを受信した場合に、当該着信リクエストに前記電話番号隠蔽フラグが含まれているか否か確認する電話番号隠蔽フラグ確認手順と、
前記電話番号隠蔽フラグ確認手順により前記着信リクエストに前記電話番号隠蔽フラグが付加されているものと確認された場合には、前記電話番号情報記憶手順に所定の記憶部に記憶されている携帯端末装置の利用者の氏名情報の中から、前記発信元電話番号に対応付けられた氏名を検索して取得する氏名情報取得手順と、
前記氏名情報取得手順により取得された前記氏名のみを表示部に表示するように制御する表示制御手順と、
を携帯端末装置としてのコンピュータに実行させることを特徴とするリクエスト送受信制御プログラム。
【請求項１０】
前記電話番号情報記憶手順は、前記氏名情報および電話番号情報の有効期限を所定の記憶部にさらに記憶し、
前記電話番号情報記憶手順により所定の記憶部に記憶されている前記氏名情報および前記電話番号情報の有効期限を確認する有効期限確認手順を携帯端末装置としてのコンピュータにさらに実行させ、
前記発信リクエスト送信手順は、前記着信先として選択を受け付けた他の携帯端末装置の電話番号情報について、前記有効期限確認手順により前記有効期限を超過していないことが確認されている場合には、当該着信先電話番号情報に対して発信リクエストを送信するように制御し、
前記表示制御手順は、前記着信リクエスト受信手順により着信された前記着信リクエストについて、前記有効期限確認手順により前記電話番号情報の有効期限が超過していることが確認されている場合には、非通知表示を表示するように制御することを特徴とする請求項９に記載のリクエスト送受信制御プログラム。
【発明の詳細な説明】
【技術分野】
【０００１】
この発明は、ネットワークを介して、発信リクエストの送信および着信リクエストの受信を行う携帯端末装置、ネットワークを介した発信リクエストおよび着信リクエストの送受信を制御するリクエスト送受信制御方法およびネットワークを介した発信リクエストおよび着信リクエストの送受信を制御するリクエスト送受信制御方法を携帯端末装置としてのコンピュータに実行させるリクエスト送受信制御プログラムに関する。
【背景技術】
【０００２】
従来より、電話番号に予め登録してある電話番号情報を選択することで発信する技術が開示されている。例えば、特許文献１では、キー操作を行って通話希望相手の名前を入力することにより、予め記憶している電話番号情報の中から入力した名前に対応する電話番号を検索して、検索した電話番号を交換機へ出力することで通話希望相手の電話端末へ発信する技術が開示されている。
【０００３】
【特許文献１】特開平９−２３３１８７号広報
【発明の開示】
【発明が解決しようとする課題】
【０００４】
ところで、上記した従来の技術は、例えば、相互に電話番号を明示的に教え合うことにより通話するため、個人情報の保護という観点において問題があった。すなわち、会社の特定のグループやサークル、学校のクラスなど特定の時期だけ所属する団体においては、個人情報保護の観点から団体に属するメンバの連絡先を公開しないようになってきているが、緊急の連絡に対応すること等を目的として、特定のメンバにのみ連絡先を公開した場合には、団体から脱退しても依然として連絡先の情報は取得されたままであり、個人情報の保護という観点において問題があった。
【０００５】
そこで、この発明は、上述した従来技術の課題を解決するためになされたものであり、相互に電話番号を明示的に教え合うことなく通話することができ、個人情報の保護を十分に図ることが可能な携帯端末装置、リクエスト送受信制御方法およびリクエスト送受信制御プログラムを提供することを目的とする。
【課題を解決するための手段】
【０００６】
上述した課題を解決し、目的を達成するため、請求項１に係る発明は、ネットワークを介して、発信リクエストの送信および着信リクエストの受信を行う携帯端末装置であって、他の携帯端末装置の利用者の氏名情報と、当該他の携帯端末装置の電話番号情報とを対応付けて記憶する電話番号情報記憶手段と、利用者から着信先として他の携帯端末装置の利用者の氏名の選択を受け付けた場合に、前記電話番号情報記憶手段に記憶されている電話番号情報の中から、当該選択を受け付けた氏名に対応する着信先電話番号を検索して取得する着信先電話番号取得手段と、前記着信先電話番号取得手段により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信手段と、前記発信リクエスト送信手段により送信された前記発信リクエストを着信リクエストとして受信する着信リクエスト受信手段と、前記着信リクエスト受信手段により前記着信リクエストを受信した場合に、当該着信リクエストに前記電話番号隠蔽フラグが含まれているか否か確認する電話番号隠蔽フラグ確認手段と、前記電話番号隠蔽フラグ確認手段により前記着信リクエストに前記電話番号隠蔽フラグが付加されているものと確認された場合には、前記電話番号情報記憶手段に記憶されている携帯端末装置の利用者の氏名情報の中から、前記発信元電話番号に対応付けられた氏名を検索して取得する氏名情報取得手段と、前記氏名情報取得手段により取得された前記氏名のみを表示部に表示するように制御する表示制御手段と、を備えたことを特徴とする。
【０００７】
また、請求項２に係る発明は、上記の発明において、前記電話番号情報記憶手段は、前記氏名情報および電話番号情報の有効期限をさらに記憶し、前記電話番号情報記憶手段により記憶されている前記氏名情報および前記電話番号情報の有効期限を確認する有効期限確認手段をさらに備え、前記発信リクエスト送信手段は、前記着信先電話番号取得手段により取得された着信先電話番号情報について、前記有効期限確認手段により前記有効期限を超過していないことが確認されている場合には、当該着信先電話番号情報に対して発信リクエストを送信するように制御し、前記表示制御手段は、前記着信リクエスト受信手段により受信された前記着信リクエストについて、前記有効期限確認手段により前記電話番号情報の有効期限が超過していることが確認されている場合には、非通知表示を表示するように制御することを特徴とする。
【０００８】
また、請求項３に係る発明は、上記の発明において、前記電話番号情報記憶手段により記憶されている前記氏名情報、前記電話番号および前記有効期限の新規登録、変更および削除を受け付ける情報操作受付手段をさらに備えたことを特徴とする。
【０００９】
また、請求項４に係る発明は、上記の発明において、前記情報操作受付手段は、ネットワーク配信を介して、前記電話番号情報記憶手段により記憶されている前記氏名情報、前記電話番号および前記有効期限の新規登録、変更および削除を受け付けることを特徴とする。
【００１０】
また、請求項５に係る発明は、上記の発明において、前記情報操作受付手段は、外部媒体を介して、前記電話番号情報記憶手段により記憶されている前記氏名情報、前記電話番号および前記有効期限の新規登録、変更および削除を受け付けることを特徴とする。
【００１１】
また、請求項６に係る発明は、上記の発明において、前記電話番号情報記憶手段により記憶されている前記氏名情報および前記電話番号情報について、前記有効期限確認手段により有効期限を超過しているか否か定期的に確認して、確認の結果、当該有効期限を超過していることが確認された場合には、当該有効期限を超過している氏名情報および電話番号情報を削除する情報削除手段をさらに備えたことを特徴とする。
【００１２】
また、請求項７に係る発明は、ネットワークを介して発信リクエストの送受信を行うリクエスト送受信制御方法であって、他の携帯端末装置の利用者の氏名情報と、当該他の携帯端末装置の電話番号情報とを対応付けて記憶する電話番号情報記憶工程と、利用者から着信先として他の携帯端末装置の利用者の氏名の選択を受け付けた場合に、前記電話番号情報記憶工程に記憶されている電話番号情報の中から、当該選択を受け付けた氏名に対応する着信先電話番号を検索して取得する着信先電話番号取得工程と、前記着信先電話番号取得工程により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信工程と、前記発信リクエスト送信工程により送信された前記発信リクエストを受信する発信リクエスト受信工程と、前記発信リクエスト受信工程により前記発信リクエストを受信した場合に、当該発信リクエストに前記電話番号隠蔽フラグが含まれているか否か確認する電話番号隠蔽フラグ確認工程と、前記電話番号隠蔽フラグ確認工程により前記発信リクエストに前記電話番号隠蔽フラグが付加されているものと確認された場合には、前記電話番号情報記憶工程に記憶されている携帯端末装置の利用者の氏名情報の中から、前記発信元電話番号に対応付けられた氏名を検索して取得する氏名情報取得工程と、前記氏名情報取得工程により取得された前記氏名のみを表示部に表示するように制御する表示制御工程と、を含んだことを特徴とする。
【００１３】
また、請求項８に係る発明は、上記の発明において、前記電話番号情報記憶工程は、前記氏名情報および電話番号情報の有効期限をさらに記憶し、前記電話番号情報記憶工程により記憶されている前記氏名情報および前記電話番号情報の有効期限を確認する有効期限確認工程をさらに含み、前記発信リクエスト送信工程は、前記着信先電話番号取得工程により取得された着信先電話番号情報について、前記有効期限確認工程により前記有効期限を超過していないことが確認されている場合には、当該着信先電話番号情報に対して発信リクエストを送信するように制御し、前記表示制御工程は、前記発信リクエスト受信工程により受信された発信リクエストについて、前記有効期限確認工程により前記電話番号情報の有効期限が超過していることが確認されている場合には、非通知表示を表示するように制御することを特徴とする。
【００１４】
また、請求項９に係る発明は、ネットワークを介した発信リクエストおよび着信リクエストの送受信を制御するリクエスト送受信制御方法を携帯端末装置としてのコンピュータに実行させるリクエスト送受信制御プログラムであって、他の携帯端末装置の利用者の氏名情報と、当該他の携帯端末装置の電話番号情報とを対応付けて記憶する電話番号情報記憶手順と、利用者から着信先として他の携帯端末装置の利用者の氏名の選択を受け付けた場合に、前記電話番号情報記憶手順により所定の記憶部に記憶されている電話番号情報の中から、当該選択を受け付けた氏名に対応する着信先電話番号を検索して取得する着信先電話番号取得手順と、前記着信先電話番号取得手順により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信手順と、前記発信リクエスト送信手順により送信された前記発信リクエストを着信リクエストとして受信する着信リクエスト受信手順と、前記着信リクエスト受信手順により前記着信リクエストを受信した場合に、当該着信リクエストに前記電話番号隠蔽フラグが含まれているか否か確認する電話番号隠蔽フラグ確認手順と、前記電話番号隠蔽フラグ確認手順により前記着信リクエストに前記電話番号隠蔽フラグが付加されているものと確認された場合には、前記電話番号情報記憶手順に所定の記憶部に記憶されている携帯端末装置の利用者の氏名情報の中から、前記発信元電話番号に対応付けられた氏名を検索して取得する氏名情報取得手順と、前記氏名情報取得手順により取得された前記氏名のみを表示部に表示するように制御する表示制御手順と、を携帯端末装置としてのコンピュータに実行させることを特徴とする。
【００１５】
また、請求項１０に係る発明は、上記の発明において、前記電話番号情報記憶手順は、前記氏名情報および電話番号情報の有効期限を所定の記憶部にさらに記憶し、前記電話番号情報記憶手順により所定の記憶部に記憶されている前記氏名情報および前記電話番号情報の有効期限を確認する有効期限確認手順を携帯端末装置としてのコンピュータにさらに実行させ、前記発信リクエスト送信手順は、前記着信先として選択を受け付けた他の携帯端末装置の電話番号情報について、前記有効期限確認手順により前記有効期限を超過していないことが確認されている場合には、当該電話番号情報に対して発信リクエストを送信するように制御し、前記表示制御手順は、前記着信リクエスト受信手順により受信された前記着信リクエストについて、前記有効期限確認手順により前記電話番号情報の有効期限が超過していることが確認されている場合には、非通知表示を表示するように制御することを特徴とする。
【発明の効果】
【００１６】
本発明によれば、他の携帯端末装置の利用者の氏名情報と、他の携帯端末装置の電話番号情報とを対応付けて記憶し、利用者から着信先として他の携帯端末装置の利用者の氏名の選択を受け付けた場合に、記憶されている電話番号情報の中から選択を受け付けた氏名に対応する着信先電話番号を検索して取得し、取得された着信先電話番号に対して、発信元である携帯端末装置の発信元電話番号と、発信元電話番号を隠蔽するための電話番号隠蔽フラグとを含んだ発信リクエストを送信する一方で、受信した着信リクエストに電話番号隠蔽フラグが付加されているものと確認された場合には、記憶されている携帯端末装置の利用者の氏名情報の中から、発信元電話番号に対応付けられた氏名を検索して取得するとともに、取得された発信元である携帯端末装置の利用者の氏名のみを表示部に表示するように制御するので、相互に電話番号を明示的に教え合うことなく通話することができ、また、着信の度に発信元の電話番号がディスプレイなどの表示部に表示されることなどがないので、電話番号などの個人情報の保護を図ることも可能である。
【００１７】
また、本発明によれば、氏名情報や電話番号情報の有効期限をさらに記憶するとともに、記憶されている電話番号情報の有効期限を確認するようにして、着信先として選択を受け付けた他の携帯端末装置の電話番号情報について、有効期限を超過していないことが確認された場合には、この電話番号情報に関する発信リクエストを送信するように制御する一方で、受信された発信リクエストについて電話番号情報の有効期限が超過していることが確認されている場合には、非通知表示を表示するように制御するので、会社の特定のグループやサークル、学校のクラスなど団体に特定の時期だけ所属する場合に、緊急の連絡に対応すること等を目的として、特定のメンバにのみ電話番号などの連絡先を公開したとしても、有効期限の超過した電話番号等の連絡先に対して自動的に通信不可能な状態にすることができるとともに、非通知表示とすることができるので、個人情報の保護を十分に保護することが可能である。
【００１８】
また、本発明によれば、記憶されている氏名情報、電話番号および有効期限の新規登録、変更および削除を受け付けるので、例えば、会社の特定のグループやサークル、学校のクラスなど団体が管理する管理装置（サーバなど）で一括して個人情報の登録、変更および削除を管理し、団体メンバの利用する携帯端末装置に対して、ネットワーク配信や外部媒体を介して個人情報の登録、変更および削除などのデータの更新を反映させることができ、団体の人数や方針に沿った個人情報を管理することができるとともに、個人情報の漏洩等の危険性も最小限に抑えることで、個人情報の保護を図ることが可能である。
【００１９】
また、本発明によれば、記憶されている氏名情報および電話番号情報について、有効期限を超過しているか否か定期的に確認して、有効期限を超過していることが確認された場合には、有効期限を超過している氏名情報および電話番号情報を削除するので、携帯端末装置における記憶容量の軽減を図ることが可能である。
【発明を実施するための最良の形態】
【００２０】
以下に添付図面を参照して、本発明に係る携帯端末装置、リクエスト送受信制御方法およびリクエスト送受信制御プログラムの実施例を詳細に説明する。なお、以下では、本発明に係る携帯端末装置を実施例１として説明した後に、本発明に含まれる他の実施例を説明する。
【実施例１】
【００２１】
［携帯端末装置の概要および特徴（実施例１）］
まず最初に、図１を用いて、実施例１に係る携帯端末装置の概要および特徴を説明する。図１は、実施例１に係る携帯端末装置の概要および特徴を説明するための図である。
【００２２】
同図に示すように、実施例１に係る携帯端末装置１０は、ネットワーク２を介して、発信リクエストの送信および着信リクエストの受信を行うことを概要とするが、相互に電話番号を明示的に教え合うことなく通話することができ、個人情報の保護を十分に図ることが可能である点に主たる特徴がある。
【００２３】
この主たる特徴について具体的に説明すると、携帯端末装置１０（例えば、携帯電話やＰＨＳなどの移動体通信端末）は、例えば、自己が所属する所定の団体（会社の特定のグループやサークル、学校のクラスなど特定の時期だけ所属する団体）の他のメンバに関する各種の情報を団体管理者のサーバなどから配信を受けて、この情報に基づき、他のメンバの氏名情報と他のメンバが利用する携帯端末装置の電話番号情報とを対応付けて記憶する電話番号隠蔽情報テーブルを予め生成して保持している。なお、この電話番号隠蔽情報テーブルは、携帯端末装置１０の利用者により他のメンバの電話番号情報を視認、あるいは取得されることができないように構成されている。
【００２４】
このような電話番号隠蔽情報テーブルを予め保持しつつ、携帯端末装置１０（発信側）は発信リクエストを送信する。具体的には、携帯端末装置１０（発信側）は、ディスプレイなどの表示部に表示させた他のメンバの氏名一覧の中から、通話を希望する着信先のメンバの氏名の選択をボタン操作入力によって受け付けると（図１の（１）参照）、電話番号隠蔽情報テーブルの中から選択を受け付けた氏名に対応する着信先電話番号を検索して取得する（図１の（２）参照）。そして、携帯端末装置１０（発信側）は、取得した着信先電話番号に対して、発信者電話番号と電話番号隠蔽フラグとを含んだ非通知発信リクエストを基地局１およびネットワーク２を介して送信する（図１の（３））。
【００２５】
ここで、非通知発信リクエストのデータ構成について簡単に説明する。この実施例１では、図２に例示するように、通信標準規格である３ＧＰＰ（３ｒｄ  Ｇｅｎｅｒａｔｉｏｎ  Ｐａｒｔｎｅｒｓｈｉｐ  Ｐｒｏｊｅｃｔ）によって送受信されるデータにおいて、データの挿入が可能な「２Ｅ」の部分を利用して、非通知発信リクエストとして機能するデータを生成する。具体的に説明すると、図３に例示するように、「２Ｅ」内のパラメータ「Ｌｏｃｋｉｎｇ  Ｓｈｉｆｔ  Ｖａｌｕｅ」の値として、その一行目に隠蔽フラグ（隠蔽フラグＯＮの場合は“０１”、隠蔽フラグＯＦＦの場合は“００”）を挿入することにより、非通知発信リクエストとして機能するデータを生成する。
【００２６】
また、本題に戻ると、非通知発信リクエストが送信された後、携帯端末装置１０（着信側）は、ネットワーク２および基地局１を介して、非通知着信リクエストを受信すると（図１の（４）参照）、非通知着信リクエストに電話番号隠蔽フラグが含まれているか否か確認する（図１の（５）参照）。その結果、電話番号隠蔽フラグが含まれているものと確認された場合には、携帯端末装置１０（着信側）は、電話番号隠蔽情報テーブルの中から発信元電話番号に対応する氏名を検索して取得する。そして、携帯端末装置１０（着信側）は、ディスプレイなどの表示部に取得した氏名とともに着信画面を表示する（図１の（６）参照）。なお、携帯端末装置１０（着信側）は、電話番号隠蔽情報テーブルの中に発信元電話番号に対応する氏名が存在しない場合には、表示部に非通知設定を表示する。
【００２７】
このようなことから、実施例１に係る携帯端末装置１０は、上述した主たる特徴の如く、相互に電話番号を明示的に教え合うことなく通話することができ、個人情報の保護を十分に図ることが可能である。
【００２８】
［携帯端末装置の構成（実施例１）］
次に、図４を用いて、実施例１に係る携帯端末装置の構成を説明する。図４は、実施例１に係る携帯端末装置の構成を示すブロック図である。
【００２９】
同図に示すように、実施例１に係る携帯端末装置１０は、通信制御Ｉ／Ｆ部１１と、入力部１２と、出力部１３と、記憶部１４と、制御部１５とから構成される。
【００３０】
このうち、通信制御Ｉ／Ｆ部１１は、他の携帯端末装置１０との間でやり取りする各種情報に関して、基地局１に対する通信を制御する。入力部１２は、各種の情報の入力を受付ける入力部であり、操作ボタンなどを備えて構成され、例えば、着信先として指定する氏名の選択などを受け付けて入力する。また、出力部１３は、各種の情報を出力する出力部であり、ディスプレイ、タッチパネル若しくはスピーカを備えて構成され、例えば、表示制御部１５ｄからの指令を受け付けて、リクエストの発信元である携帯端末装置１０の利用者の氏名などを着信画面として表示出力する。
【００３１】
記憶部１４は、制御部１５による各種処理に必要なデータおよびプログラムを記憶する記憶部であり、特に本発明に密接に関連するものとしては、電話番号隠蔽情報テーブル１４ａを備える。
【００３２】
この電話番号隠蔽情報テーブル１４ａは、自己が所属する所定の団体（会社の特定のグループやサークル、学校のクラスなど特定の時期だけ所属する団体）の他のメンバに関する各種の情報を団体管理者のサーバなどから配信を受けて、この情報に基づき予め生成して保持するテーブルであり、具体的には、図５に例示するように、内部的に付与する内部ＩＤごとに、他のメンバの氏名に関する氏名情報と、他のメンバが利用する携帯端末装置１０の電話番号に関する氏名情報とを対応づけて記憶して構成される。
【００３３】
制御部１５は、所定の制御プログラム、各種の処理手順などを規定したプログラムおよび所要データを格納するための内部メモリを有し、これらによって種々の処理を実行する処理部であり、特に本発明に密接に関連するものとしては、データ送受信部１５ａと、情報入力受付部１５ｂと、電話番号変換部１５ｃと、表示制御部１５ｄとを備える。
【００３４】
このうち、データ送受信部１５ａは、通信制御Ｉ／Ｆ部１１を介してデータの送受信を行う処理部である。具体的に説明すると、通信制御Ｉ／Ｆ部１１を介して他の携帯端末装置１０から非通知着信リクエストを受信すると、受信した非通知着信リクエストデータを電話番号変換部１５ｃへ出力する。また、電話番号変換部１５ｃから受け付けた着信先電話番号情報から把握される着信先電話番号に対して、自己の電話番号である発信元電話番号および電話番号隠蔽フラグを含んだ非通知発信リクエストデータを生成し、通信制御Ｉ／Ｆ部１１を介して送信する。
【００３５】
ここで、非通知発信リクエストのデータ構成について簡単に説明する。この実施例１では、図２に例示するように、通信標準規格である３ＧＰＰ（３ｒｄ  Ｇｅｎｅｒａｔｉｏｎ  Ｐａｒｔｎｅｒｓｈｉｐ  Ｐｒｏｊｅｃｔ）によって送受信されるデータにおいて、データの挿入が可能な「２Ｅ」の部分を利用して、非通知発信リクエストとして機能するデータを生成する。具体的に説明すると、図３に例示するように、「２Ｅ」内のパラメータ「Ｌｏｃｋｉｎｇ  Ｓｈｉｆｔ  Ｖａｌｕｅ」の値として、その一行目に隠蔽フラグ（隠蔽フラグＯＮの場合は“０１”、隠蔽フラグＯＦＦの場合は“００”）を挿入することにより、非通知発信リクエストとして機能するデータを生成する。
【００３６】
情報入力受付部１５ｂは、入力部１２を介して利用者からデータ入力を受け付ける処理部である。具体的に説明すると、出力部１３（例えば、ディスプレイやタッチパネルなど）に表示させた他のメンバの氏名一覧の中から、通話を希望する着信先のメンバの氏名の選択を入力部１２におけるボタン操作入力によって受け付けると、受け付けた氏名情報を電話番号変換部１５ｃへ出力する。
【００３７】
電話番号変換部１５ｃは、データ送受信部１５ａおよび情報入力受付部１５ｂから受け付けたデータに基づいてデータ処理を行う処理部である。具体的に説明すると、データ送受信部１５ａから非通知着信リクエストデータを受け付けると、この非通知着信リクエストに電話番号隠蔽フラグが含まれているか否か確認する。その確認の結果、電話番号隠蔽フラグが含まれているものと確認された場合には、電話番号隠蔽情報テーブル１４ａの中から発信元電話番号に対応する氏名情報を検索して取得する。そして、取得した氏名情報を表示制御部１５ｄへ出力する。一方、確認の結果、電話番号隠蔽フラグが含まれていないものと確認された場合、または、電話番号隠蔽情報テーブル１４ａの中に発信元電話番号に対応する氏名情報が存在しない場合には、表示制御部１５ｄにその旨の通知を出力する。
【００３８】
また、電話番号変換部１５ｃは、情報入力受付部１５ｂから氏名情報を受け付けると、電話番号隠蔽情報テーブル１４ａの中から、受け付けた氏名情報に対応する着信先電話番号情報を検索して取得し、データ送受信部１５ａに出力する。
【００３９】
表示制御部１５ｄは、出力部１３へのデータ出力を制御する処理部である。具体的に説明すると、電話番号変換部１５ｃから氏名情報を受け付けると、受け付けた氏名情報を着信画面として表示出力するように出力部１３に指令する。一方、電話番号変換部１５ｃから非通知着信リクエストに電話番号隠蔽フラグが含まれていない旨の通知、または、電話番号隠蔽情報テーブル１４ａの中に氏名情報が存在しない旨の通知を受け付けると、非通知設定の着信であることを示す画面を表示出力するように出力部１３に指令する。そして、出力部１３は、図６に例示するように、非通知設定の着信であることを示す着信画面を表示出力する。
【００４０】
［携帯端末装置の処理（実施例１）］
続いて、図７および図８を用いて、実施例１に係る携帯端末装置の処理を説明する。図７は、実施例１に係る非通知発信リクエストの発信処理の流れを示すフローチャートであり、図８は、実施例１に係る非通知着信リクエストの着信処理の流れを示すフローチャートである。
【００４１】
［非通知発信リクエストの発信処理（実施例１）］
まず、図７を用いて、実施例１に係る非通知発信リクエストの発信処理を説明する。同図に示すように、出力部１３（例えば、ディスプレイやタッチパネルなど）に表示させた他のメンバの氏名一覧の中から、通話を希望する着信先のメンバの氏名の選択を入力部１２におけるボタン操作入力によって受け付けると（ステップＳ７０１肯定）、情報入力受付部１５ｂは、受け付けた氏名情報を電話番号変換部１５ｃへ出力する。
【００４２】
電話番号変換部１５ｃは、情報入力受付部１５ｂから氏名情報を受け付けると、電話番号隠蔽情報テーブル１４ａの中から、受け付けた氏名情報に対応する着信先電話番号情報を検索して取得し（ステップＳ７０２）、データ送受信部１５ａに出力する。
【００４３】
データ送受信部１５ａは、電話番号変換部１５ｃから受け付けた着信先電話番号情報から把握される着信先電話番号に対して、自己の電話番号である発信元電話番号および電話番号隠蔽フラグを含んだ非通知発信リクエストデータを生成し、通信制御Ｉ／Ｆ部１１を介して送信する（ステップＳ７０３）。
【００４４】
［非通知着信リクエストの着信処理（実施例１）］
次に、図８を用いて、実施例１に係る非通知着信リクエストの着信処理を説明する。同図に示すように、データ送受信部１５ａは、通信制御Ｉ／Ｆ部１１を介して他の携帯端末装置１０から非通知着信リクエストを受信すると（ステップＳ８０１肯定）、受信した非通知着信リクエストデータを電話番号変換部１５ｃへ出力する。
【００４５】
電話番号変換部１５ｃは、データ送受信部１５ａから非通知着信リクエストデータを受け付けると、この非通知着信リクエストに電話番号隠蔽フラグが含まれているか否か確認する（ステップＳ８０２）。その確認の結果、電話番号隠蔽フラグが含まれているものと確認された場合には（ステップＳ８０２肯定）、電話番号隠蔽情報テーブル１４ａの中に発信元電話番号に対応する氏名情報についてのデータが存在するか否か検索する（ステップＳ８０３）。その結果、電話番号隠蔽情報テーブル１４ａの中に発信元電話番号に対応する氏名情報のデータが存在する場合には（ステップＳ８０３肯定）、電話番号隠蔽情報テーブル１４ａの中から、その氏名情報についてのデータを取得して表示制御部１５ｄへ出力する。
【００４６】
そして、表示制御部１５ｄは、電話番号変換部１５ｃから氏名情報を受け付けると、受け付けた氏名情報を着信画面として表示出力するように出力部１３に指令する。指令を受け付けた出力部１３は、リクエストの発信元である携帯端末装置１０の利用者の氏名を着信画面として表示出力する（ステップＳ８０４）。
【００４７】
ここで、ステップＳ８０２の説明に戻ると、非通知着信リクエストに電話番号隠蔽フラグが含まれていないものと確認された場合には（ステップＳ８０２否定）、電話番号変換部１５ｃは表示制御部１５ｄにその旨の通知を出力する。表示制御部１５ｄは、電話番号変換部１５ｃから非通知着信リクエストに電話番号隠蔽フラグが含まれていない旨の通知を受け付けた場合には、非通知設定の着信であることを示す画面を表示出力するように出力部１３に指令する。そして、出力部１３は、非通知設定であることを示す着信画面を表示出力する（ステップＳ８０５、図６参照）。
【００４８】
また、ステップＳ８０３の説明に戻ると、電話番号変換部１５ｃから電話番号隠蔽情報テーブル１４ａの中に発信元電話番号に対応する氏名情報についてのデータが存在しない場合には（ステップＳ８０３否定）、電話番号変換部１５ｃは表示制御部１５ｄにその旨の通知を出力する。表示制御部１５ｄは、電話番号変換部１５ｃから電話番号隠蔽情報テーブル１４ａの中に発信元電話番号に対応する氏名情報のデータが存在しない旨の通知を受け付けた場合には、非通知設定の着信であることを示す画面を表示出力するように出力部１３に指令する。そして、出力部１３は、非通知設定であることを示す着信画面を表示出力する（ステップＳ８０５、図６参照）。
【００４９】
［実施例１の効果］
このようなことから、実施例１によれば、他の携帯端末装置１０を利用するメンバの氏名情報と、この携帯端末装置１０の電話番号情報とを対応付けて記憶する電話番号隠蔽情報テーブル１４ａを団体管理者のサーバなどから配信を受けて予め保持するとともに、着信先として他のメンバの氏名の選択を受け付けた場合に、電話番号隠蔽情報テーブル１４ａに記憶されている電話番号情報の中から選択を受け付けた氏名に対応する着信先電話番号を検索して取得し、取得された着信先電話番号に対して発信元である携帯端末装置の発信元電話番号と、発信元電話番号を隠蔽するための電話番号隠蔽フラグとを含んだ非通知発信リクエストを送信する一方で、受信した非通知着信リクエストに電話番号隠蔽フラグが含まれているものと確認された場合には、電話番号隠蔽情報テーブル１４ａに記憶されている氏名情報の中から、発信元電話番号に対応付けられた氏名を検索して取得するとともに、取得された発信元であるメンバの氏名のみを表示部に表示するように制御するので、電話番号隠蔽情報テーブルを共有する所定の団体の所属メンバ間で、相互に電話番号を明示的に教え合うことなく通話することができ、また、着信の度に発信元の電話番号がディスプレイなどに表示されることなどがないので、電話番号などの個人情報の保護を図ることも可能である。
【実施例２】
【００５０】
ところで、上述してきた実施例１では、電話番号隠蔽情報テーブル１４ａにおいて、他のメンバの氏名に関する氏名情報と、他のメンバが利用する携帯端末装置１０の電話番号に関する電話番号情報とを対応づけて記憶する場合を説明したが、本発明はこれに限定されるものではなく、さらに、これらの氏名情報および電話番号情報の有効期限を記憶するようにしてもよい。そこで、以下では、実施例２に係る携帯端末装置の構成および処理を順に説明し、最後に実施例２による効果を説明する。
【００５１】
［携帯端末装置の構成（実施例２）］
まず、図４、図９および図１０を用いて、実施例２に係る携帯端末装置の構成を説明する。図９は、実施例２に係る電話番号隠蔽情報テーブルのデータ構成例を示す図であり、図１０は、実施例２に係る有効期限切れの表示画面のイメージを示す図である。実施例２に係る携帯端末装置は、図４を用いて説明した実施例１に係る携帯端末装置１０と、通信制御Ｉ／Ｆ部１１、入力部１２、出力部１３、制御部１５のデータ送受信部１５ａおよび情報入力受付部１５ｂについて同様の構成（機能）を有するが、記憶部１４の電話番号隠蔽情報テーブル１４ａ、制御部１５の電話番号変換部１５ｃおよび表示制御部１５ｄが異なる。
【００５２】
すなわち、記憶部１４ａの電話番号隠蔽情報テーブル１４ａは、他のメンバの氏名に関する氏名情報と、他のメンバが利用する携帯端末装置１０の電話番号に関する電話番号情報とを対応づけて記憶するだけでなく、図９に例示するように、これらの氏名情報および電話番号情報の有効期限をさらに記憶して構成される。なお、有効期限は、所定の団体に所属する際に、団体管理者のサーバなどにより予め設定されて配信される。
【００５３】
制御部１５の電話番号変換部１５ｃは、情報入力受付部１５ｂから氏名情報を受け付けると、電話番号隠蔽情報テーブル１４ａの中から、受け付けた氏名情報に対応する着信先電話番号情報とともに、その着信先電話番号に関する有効期限を検索して取得する。次に、取得した着信先電話番号が有効期限内にあるか否か確認する。その結果、有効期限内にある場合には、そのまま着信先電話番号をデータ送受信部１５ａに出力する。一方、取得した着信先電話番号が有効期限内にない場合には、有効期限切れである旨の通知を表示制御部１５ｄへ出力する。
【００５４】
また、電話番号変換部１５ｃは、データ送受信部１５ａから非通知着信リクエストデータを受け付けると、この非通知着信リクエストに電話番号隠蔽フラグが含まれているか否か確認する。その確認の結果、電話番号隠蔽フラグが含まれているものと確認された場合には、電話番号隠蔽情報テーブル１４ａに発信元電話番号に対応する氏名情報に関するデータを検索する。検索の結果、電話番号隠蔽情報テーブル１４ａに発信元電話番号に対応する氏名情報についてのデータが存在する場合には、さらに、その氏名情報が有効期限内にあるか否か確認する。その結果、その氏名情報についてのデータが有効期限内にある場合には、電話番号隠蔽情報テーブル１４ａの中から発信元電話番号に対応する氏名情報に関するデータを取得する。そして、取得した氏名情報を表示制御部１５ｄへ出力する。
【００５５】
一方、電話番号隠蔽情報テーブル１４ａから検索された氏名情報についてのデータが有効期限内にない場合には、上述した実施例１と同様に、非通知設定の着信であることを示す画面を表示出力するように出力部１３に指令する。
【００５６】
制御部１５の表示制御部１５ｄは、電話番号変換部１５ｃから取得した着信先電話番号が有効期限切れである旨の通知を受け付けた場合には、有効期限切れであることを表示出力するように出力部１３へ指令する。出力部１３は、図１０に例示するように、表示制御部１５ｄからの指令を受け付けて、選択した着信先電話番号は有効期限切れであることを示す画面を表示出力する。
【００５７】
また、表示制御部１５ｄは、上述した実施例１と同様に、電話番号隠蔽情報テーブル１４ａから検索された氏名情報についてのデータが有効期限内にない場合には、非通知設定の着信であることを示す画面を表示出力するように出力部１３に指令する。そして、出力部１３は、図６に例示するように、非通知設定の着信であることを示す着信画面を表示出力する。
【００５８】
［携帯端末装置の処理（実施例２）］
次に、図１１および図１２を用いて、実施例２に係る携帯端末装置の処理を説明する。図１１は、実施例２に係る非通知発信リクエストの発信処理の流れを示すフローチャートであり、図１２は、実施例２に係る非通知着信リクエストの着信処理の流れを示すフローチャートである。
【００５９】
［非通知発信リクエストの発信処理（実施例２）］
まず、図１１を用いて、実施例２に係る非通知発信リクエストの発信処理を説明する。同図に示すように、出力部１３（例えば、ディスプレイやタッチパネルなど）に表示させた他のメンバの氏名一覧の中から、通話を希望する着信先のメンバの氏名の選択を入力部１２におけるボタン操作入力によって受け付けると（ステップＳ１１０１肯定）、情報入力受付部１５ｂは、受け付けた氏名情報を電話番号変換部１５ｃへ出力する。ここまでは、上述した実施例１に係る非通知発信リクエストの発信処理と同様である（図７のステップＳ７０１参照）。
【００６０】
電話番号変換部１５ｃは、情報入力受付部１５ｂから氏名情報を受け付けると、電話番号隠蔽情報テーブル１４ａの中から、受け付けた氏名情報に対応する着信先電話番号情報とともに、その着信先電話番号に関する有効期限を検索して取得する（ステップＳ１１０２）。
【００６１】
次に、電話番号変換部１５ｃは、取得した着信先電話番号が有効期限内にあるか否か確認する（ステップＳ１１０３）。その結果、有効期限内にある場合には（ステップＳ１１０３肯定）、そのまま着信先電話番号をデータ送受信部１５ａに出力する。そして、データ送受信部１５ａは、上述した実施例１に係る非通知発信リクエストの発信処理と同様に（図７のステップＳ７０３参照）、電話番号変換部１５ｃから受け付けた着信先電話番号情報から把握される着信先電話番号に対して、自己の電話番号である発信元電話番号および電話番号隠蔽フラグを含んだ非通知発信リクエストデータを生成し、通信制御Ｉ／Ｆ部１１を介して送信する（ステップＳ１１０４）。
【００６２】
一方、電話番号変換部１５ｃは、取得した着信先電話番号が有効期限内にない場合には（ステップＳ１１０３否定）、有効期限切れである旨の通知を表示制御部１５ｄへ出力する。表示制御部１５ｄは、電話番号変換部１５ｃから取得した着信先電話番号が有効期限切れである旨の通知を受け付けた場合には、有効期限切れを表示出力するように出力部１３へ指令する。出力部１３は、図１０に例示するように、表示制御部１５ｄからの指令を受け付けて、有効期限切れであることを示す画面を表示出力する（ステップＳ１１０５）。
【００６３】
［非通知着信リクエストの着信処理（実施例２）］
次に、図１２を用いて、実施例２に係る非通知着信リクエストの着信処理を説明する。同図に示すように、データ送受信部１５ａは、通信制御Ｉ／Ｆ部１１を介して他の携帯端末装置１０から非通知着信リクエストを受信すると（ステップＳ１２０１肯定）、受信した非通知着信リクエストデータを電話番号変換部１５ｃへ出力する。
【００６４】
電話番号変換部１５ｃは、データ送受信部１５ａから非通知着信リクエストデータを受け付けると、この非通知着信リクエストに電話番号隠蔽フラグが含まれているか否か確認する（ステップＳ１２０２）。その確認の結果、電話番号隠蔽フラグが含まれているものと確認された場合には（ステップＳ１２０２肯定）、電話番号隠蔽情報テーブル１４ａの中に発信元電話番号に対応する氏名情報についてのデータが存在するか否か検索する（ステップＳ１２０３）。ここまでは、上述した実施例１に係る非通知着信リクエストの着信処理と同様である（図８のステップＳ８０１〜ステップＳ８０３参照）。
【００６５】
検索の結果、電話番号変換部１５ｃは、電話番号隠蔽情報テーブル１４ａに発信元電話番号に対応する氏名情報についてのデータが存在する場合には、さらに、その氏名情報が有効期限内にあるか否か確認する（ステップＳ１２０４）。その結果、その氏名情報についてのデータが有効期限内にある場合には（ステップＳ１２０４肯定）、電話番号隠蔽情報テーブル１４ａの中から発信元電話番号に対応する氏名情報に関するデータを取得する。そして、取得した氏名情報を表示制御部１５ｄへ出力する。
【００６６】
そして、上述した実施例１に係る非通知着信リクエストの着信処理と同様に（図８のステップＳ８０４参照）、表示制御部１５ｄは、電話番号変換部１５ｃから氏名情報を受け付けると、受け付けた氏名情報を着信画面として表示出力するように出力部１３に指令する。指令を受け付けた出力部１３は、リクエストの発信元である携帯端末装置１０の利用者の氏名を着信画面として表示出力する（ステップＳ１２０５）。
【００６７】
ここで、ステップＳ１２０４の説明に戻ると、電話番号変換部１５ｃは、電話番号隠蔽情報テーブル１４ａから検索された氏名情報についてのデータが有効期限内にない場合には（ステップＳ１２０４否定）、有効期限切れである旨の通知を表示制御部１５ｄへ出力する。
【００６８】
表示制御部１５ｄは、電話番号変換部１５ｃから取得した着信先電話番号が有効期限切れである旨の通知を受け付けた場合には、非通知設定の着信であることを示す画面を表示出力するように出力部１３に指令する。そして、出力部１３は、上述した実施例１に係る非通知着信リクエストの着信処理と同様に（図８のステップＳ８０５参照）、非通知設定であることを示す着信画面を表示出力する（ステップＳ１２０６）。
【００６９】
また、ステップＳ１２０２の説明に戻ると、非通知着信リクエストに電話番号隠蔽フラグが含まれていないものと確認された場合には（ステップＳ１２０２否定）、電話番号変換部１５ｃは表示制御部１５ｄにその旨の通知を出力する。表示制御部１５ｄは、電話番号変換部１５ｃから非通知着信リクエストに電話番号隠蔽フラグが含まれていない旨の通知を受け付けた場合には、非通知設定の着信であることを示す画面を表示出力するように出力部１３に指令する。そして、出力部１３は、上述した実施例１に係る非通知着信リクエストの着信処理と同様に（図８のステップＳ８０５参照）、非通知設定であることを示す着信画面を表示出力する（ステップＳ１２０６）。
【００７０】
また、ステップＳ１２０３の説明に戻ると、電話番号変換部１５ｃから電話番号隠蔽情報テーブル１４ａの中に発信元電話番号に対応する氏名情報についてのデータが存在しない場合には（ステップＳ１２０３否定）、電話番号変換部１５ｃは表示制御部１５ｄにその旨の通知を出力する。表示制御部１５ｄは、電話番号変換部１５ｃから電話番号隠蔽情報テーブル１４ａの中に発信元電話番号に対応する氏名情報のデータが存在しない旨の通知を受け付けた場合には、非通知設定の着信であることを示す画面を表示出力するように出力部１３に指令する。そして、出力部１３は、上述した実施例１に係る非通知着信リクエストの着信処理と同様に（図８のステップＳ８０５参照）、非通知設定であることを示す着信画面を表示出力する（ステップＳ１２０６）。
【００７１】
［実施例２の効果］
上述してきたように、実施例２によれば、氏名情報や電話番号情報の有効期限をさらに記憶するとともに、記憶されている氏名情報や電話番号情報の有効期限を確認するようにして、着信先として選択を受け付けた他の携帯端末装置の電話番号情報について、電話番号情報の有効期限を超過していないことが確認されている場合には、この電話番号情報に関する発信リクエストを送信するように制御する一方で、受信された発信リクエストについて電話番号情報の有効期限が超過していることが確認されている場合には、非通知表示を表示するように制御するので、会社の特定のグループやサークル、学校のクラスなど団体に特定の時期だけ所属する場合に、緊急の連絡に対応すること等を目的として、特定のメンバにのみ電話番号などの連絡先を公開したとしても、有効期限の超過した電話番号等の連絡先に対して自動的に通信不可能な状態にすることができるとともに、非通知設定の着信として表示とすることができるので、個人情報の保護を十分に保護することが可能である。
【実施例３】
【００７２】
また、上述してきた実施例１および実施例２において、携帯端末装置１０に予め保持されている電話番号隠蔽情報テーブル１４ａ内のデータについて、新規登録、変更および削除などの更新を反映させるようにしてもよい。そこで、以下の実施例３では、実施例３に係る携帯端末装置の概要および特徴、携帯端末装置の構成および処理を順に説明し、最後に実施例３による効果を説明する。
【００７３】
［携帯端末装置の概要および特徴（実施例３）］
まず最初に、図１３を用いて、実施例３に係る携帯端末装置の概要および特徴を説明する。同図に示すように、実施例３に係る携帯端末装置（例えば、メンバ携帯端末装置３０）は、自己が所属する所定の団体（会社の特定のグループやサークル、学校のクラスなど特定の時期だけ所属する団体）の他のメンバに関する各種の情報を団体管理者のサーバ（例えば、管理者サーバ２０）から配信を受けて、この情報に基づき、他のメンバの氏名情報と他のメンバが利用する携帯端末装置の電話番号情報とを対応付けて記憶する電話番号隠蔽情報テーブルを予め生成して保持することを概要とするが、管理者サーバネットワーク配信を介して個人情報の登録、変更および削除を反映させることができる点に主たる特徴がある。
【００７４】
この主たる特徴について簡単に説明すると、管理者サーバ２０から更新データを含んだ電話番号隠蔽情報テーブル更新依頼をネットワーク２および基地局１を介して受信すると、メンバ携帯端末装置３０は、電話番号隠蔽情報テーブルを既に保持しているか否か確認する。その結果、電話番号隠蔽情報テーブルを既に保持している場合には、管理者サーバ２０から受信した電話番号隠蔽情報テーブル更新依頼に含まれる更新データに基づいて、電話番号隠蔽情報テーブルを更新する。電話番号隠蔽情報テーブルの更新を終えると、データ更新完了通知をネットワーク２および基地局１を介して管理者サーバ２０へ送信する。
【００７５】
このようなことから、実施例３によれば、ネットワーク配信を介して個人情報の登録、変更および削除などのテーブルデータの更新を反映させることができ、団体の人数や方針に沿った個人情報を管理することができるとともに、個人情報の漏洩等の危険性も最小限に抑えることで、個人情報の保護を図ることが可能である。
【００７６】
［携帯端末装置の構成（実施例３）］
次に、図１４を用いて、実施例３に係る携帯端末装置の構成を説明する。図１４は、実施例３に係る携帯端末装置の構成を示すブロック図である。
【００７７】
図１４に示すように、実施例３に係る携帯端末装置は、図４を用いて説明した実施例１および実施例２に係る携帯端末装置と、通信制御Ｉ／Ｆ部１１、入力部１２、出力部１３、記憶部１４、制御部１５のデータ送受信部１５ａ、情報入力受付部１５ｂ、電話番号変換部１５ｃおよび表示制御部１５ｄについて同様の構成（機能）を有するが、制御部１５のテーブル処理部１５ｅが異なる。
【００７８】
この制御部１５のテーブル処理部１５ｅは、データ送受信部１５ａにおいて管理者サーバ２０から電話番号隠蔽情報テーブルの更新依頼が受信された場合に、記憶部１４の電話番号隠蔽情報テーブル１４ａ内のデータについて、新規登録、変更および削除などの更新を反映させる処理部である。
【００７９】
具体的には、データ送受信部１５ａにおいて、管理者サーバ２０から更新データを含んだ電話番号隠蔽情報テーブル更新依頼がネットワーク２および基地局１を介して受信されると、テーブル処理部１５ｅは、電話番号隠蔽情報テーブルを既に保持しているか否か確認する。その結果、電話番号隠蔽情報テーブルを既に保持している場合には、管理者サーバ２０から受信した電話番号隠蔽情報テーブル更新依頼に含まれる更新データに基づいて、電話番号隠蔽情報テーブルを更新する。
【００８０】
一方、例えば、新規登録者のように、電話番号隠蔽情報テーブルをまだ保持していない場合には、テーブル処理部１５ｅは、電話番号隠蔽情報テーブルを生成した後、管理者サーバ２０から受信した電話番号隠蔽情報テーブル更新依頼に含まれる更新データに基づいて、電話番号隠蔽情報テーブルを更新する。
【００８１】
テーブル処理部１５ｅは、電話番号隠蔽情報テーブルの更新を終えると、更新処理が完了した旨をデータ送受信部１５ａへ通知する。データ送受信部１５ａは、更新処理が完了した旨の通知を受け付けると、データ更新完了通知をネットワーク２および基地局１を介して管理者サーバ２０へ送信する。
【００８２】
［電話番号隠蔽情報テーブル更新処理（実施例３）］
続いて、図１５を用いて、実施例３に係る電話番号隠蔽情報テーブル更新処理を説明する。図１５は、実施例３に係る電話番号隠蔽情報テーブル更新処理の流れを示すフローチャートである。
【００８３】
同図に示すように、データ送受信部１５ａにおいて、管理者サーバ２０から更新データを含んだ電話番号隠蔽情報テーブル更新依頼がネットワーク２および基地局１を介して受信されると（ステップＳ１５０１肯定）、テーブル処理部１５ｅは、電話番号隠蔽情報テーブルを既に保持しているか否か確認する（ステップＳ１５０２）。
【００８４】
その結果、電話番号隠蔽情報テーブルを既に保持している場合には（ステップＳ１５０２肯定）、管理者サーバ２０から受信した電話番号隠蔽情報テーブル更新依頼に含まれる更新データに基づいて、電話番号隠蔽情報テーブルを更新する（ステップＳ１５０３）。
【００８５】
一方、例えば、新規登録者のように、電話番号隠蔽情報テーブルをまだ保持していない場合には（ステップＳ１５０２否定）、電話番号隠蔽情報テーブルを生成した後（ステップＳ１５０４）、管理者サーバ２０から受信した電話番号隠蔽情報テーブル更新依頼に含まれる更新データに基づいて、電話番号隠蔽情報テーブルを更新する（ステップＳ１５０３）。
【００８６】
テーブル処理部１５ｅは、電話番号隠蔽情報テーブルの更新を終えると、更新処理が完了した旨をデータ送受信部１５ａへ通知する。データ送受信部１５ａは、更新処理が完了した旨の通知を受け付けると、データ更新完了通知をネットワーク２および基地局１を介して管理者サーバ２０へ送信する（ステップＳ１５０５）。
【００８７】
なお、上述してきた実施例３では、ネットワーク２を介して管理者サーバ２０から電話番号隠蔽情報テーブルの更新依頼を受け付けて、テーブルを更新する場合を説明したが、本発明はこれに限定されるものではなく、例えば、ＵＳＢメモリやＵＳＢフラッシュメモリなど、携帯端末装置１０に接続可能な外部媒体を用いて、電話番号隠蔽情報テーブルを更新するようにしてもよい。
【００８８】
［実施例３の効果］
上述してきたように、実施例３によれば、電話番号隠蔽情報テーブル１４ａに記憶されている氏名情報、電話番号および有効期限の新規登録、変更および削除を受け付けるので、例えば、会社の特定のグループやサークル、学校のクラスなど団体が管理する管理者サーバ２０で一括して個人情報の登録、変更および削除を管理し、団体メンバの利用する携帯端末装置１０に対して、ネットワーク配信や外部媒体を介して個人情報の登録、変更および削除などのデータの更新を反映させることができ、団体の人数や方針に沿った個人情報を管理することができるとともに、個人情報の漏洩等の危険性も最小限に抑えることで、個人情報の保護を図ることが可能である。
【実施例４】
【００８９】
さて、これまで本発明の実施例１〜実施例３について説明したが、本発明は上述した実施例以外にも、種々の異なる形態にて実施されてよいものである。そこで、以下では、本発明に含まれる他の実施例を説明する。
【００９０】
（１）テーブルデータの自動削除処理
上記の実施例において、電話番号隠蔽情報テーブル１４ａに記憶されている氏名情報および電話番号情報について、有効期限を超過しているか否か定期的に確認して、有効期限を超過していることが確認された場合には、有効期限を超過している氏名情報および電話番号情報を削除するようにしてもよい。そこで、以下では、図１６を用いて、携帯端末装置１０において定期的に実行される有効期限の確認とともに実施されうるテーブルデータの自動削除処理を説明する。図１６は、実施例４に係るテーブルデータ自動削除処理の流れを示すフローチャートである。
【００９１】
同図に示すように、電話番号隠蔽情報テーブル１４ａの有効期限の確認を実行する定期的なタイミングが訪れると、テーブル処理部１５ｅは、電話番号隠蔽情報テーブル１４ａからテーブルデータの読み出しを実行する（ステップＳ１６０１）。
【００９２】
次に、テーブル処理部１５ｅは、読み出したテーブルデータの有効期限をチェックして、有効期限切れのデータがある場合には、その有効期限切れのデータを抽出する（ステップＳ１６０２）。なお、有効期限切れのデータがない場合には、そのまま処理を終了する。
【００９３】
そして、テーブル処理部１５ｅは、抽出した有効期限切れのデータを削除して（ステップＳ１６０３）、読み出したデータを再び電話番号隠蔽情報テーブル１４ａに格納する。
【００９４】
このように、電話番号隠蔽情報テーブル１４ａに記憶されている氏名情報および電話番号情報について、有効期限を超過しているか否か定期的に確認して、有効期限を超過していることが確認された場合には、有効期限を超過している氏名情報および電話番号情報を削除するので、携帯端末装置１０における記憶容量の軽減を図ることが可能である。
【００９５】
（３）装置構成等
また、図４および図１４に示した携帯端末装置１０の各構成要素は機能概念的なものであり、必ずしも物理的に図示の如く構成されていることを要しない。すなわち、携帯端末装置１０の分散・統合の具体的形態は図示のものに限られず、例えば、図４に示す情報入力受付部１５ｂと電話番号変換部１５ｃとを統合し、図１４に示す電話番号変換部１５ｃとテーブル処理部１５ｅとを統合するなど、その全部または一部を、各種の負荷や使用状況などに応じて、任意の単位で機能的または物理的に分散・統合して構成することができる。
【００９６】
さらに、携帯端末装置１０にて行なわれる各処理機能（図７または図１１を用いて説明した非通知発信リクエスト発信処理機能、図８または図１２を用いて説明した非通知着信リクエスト着信処理機能、図１５を用いて説明した電話番号隠蔽情報更新処理機機能、図１６を用いて説明したテーブルデータ自動削除処理機能）は、その全部または任意の一部が、ＣＰＵおよび当該ＣＰＵにて解析実行されるプログラムにて実現され、あるいは、ワイヤードロジックによるハードウェアとして実現され得る。
【００９７】
（５）リクエスト送受信制御プログラム
ところで、上記の実施例で説明した携帯端末装置１０にかかる各種の処理（図７、図８、図１１、図１２、図１５および図１６参照）は、あらかじめ用意されたプログラムをパーソナルコンピュータやワークステーションなどのコンピュータシステムで実行することによって実現することができるとともに、あらかじめ用意したアプリケーションプログラムを携帯端末装置１０上で実行することによって実現することができる。そこで、以下では、図１７および図１８を用いて、上記の実施例と同様の機能を有するリクエスト送受信制御プログラムを実行するコンピュータの一例を説明する。図１７および図１８は、リクエスト送受信制御プログラムを実行するコンピュータを示す図である。
【００９８】
まず、図１７に示すように、携帯端末装置としてのコンピュータ４０は、通信制御Ｉ／Ｆ部４１、入力部４２、出力部４３、ＨＤＤ４４、ＲＡＭ４５、ＲＯＭ４６およびＣＰＵ４７をバス５０で接続して構成される。ここで、通信制御Ｉ／Ｆ部４１、入力部４２および出力部４３は、図４に示した通信制御Ｉ／Ｆ部１１、入力部１２および出力部１３にそれぞれ対応する。
【００９９】
そして、ＲＯＭ４６には、上記の実施例に示した携帯端末装置１０と同様の機能を発揮するリクエスト送受信制御プログラム、つまり、図１７に示すように、データ送受信プログラム４６ａ、情報入力受付プログラム４６ｂ、電話番号変換プログラム４６ｃおよび表示制御プログラム４６ｄがあらかじめ記憶されている。なお、これらのプログラム４６ａ、４６ｂ、４６ｃおよび４６ｄについては、図４に示した携帯端末装置１０の各構成要素と同様、適宜統合または分散してもよい。なお、ＲＯＭ４６は、不揮発性の「ＲＡＭ」でもよい。
【０１００】
そして、ＣＰＵ４７が、これらのプログラム４６ａ、４６ｂ、４６ｃおよび４６ｄをＲＯＭ４６から読み出して実行することで、図１７に示すように、各プログラム４６ａ、４６ｂ、４６ｃおよび４６ｄは、データ送受信プロセス４７ａ、情報入力受付プロセス４７ｂ、電話番号変換プロセス４７ｃおよび表示制御プロセス４７ｄとして機能するようになる。なお、各プロセス４７ａ、４７ｂ、４７ｃおよび４７ｄは、図４に示したデータ送受信部１５ａ、情報入力受付部１５ｂ、電話番号変換部１５ｃおよび表示制御部１５ｄにそれぞれ対応する。
【０１０１】
また、ＨＤＤ４４には、図１７に示すように、電話番号隠蔽情報テーブル４４ａが設けられる。この電話番号隠蔽情報テーブル４４ａは、図４に示した電話番号隠蔽情報テーブル１４ａに対応する。そして、ＣＰＵ４７は、電話番号隠蔽情報テーブル４４ａから電話番号隠蔽情報データ４５ａを読み出してＲＡＭ４５に格納し、ＲＡＭ４５に格納された電話番号隠蔽情報データ４５ａに基づいてリクエスト送受信制御処理を実行する。
【０１０２】
なお、上記した各プログラム４６ａ、４６ｂ、４６ｃおよび４６ｄについては、必ずしも最初からＲＯＭ４６に記憶させておく必要はなく、例えば、コンピュータ４０に挿入されるフレキシブルディスク（ＦＤ）、ＣＤ−ＲＯＭ、ＤＶＤディスク、光磁気ディスク、ＩＣカードなどの「可搬用の物理媒体」、または、コンピュータ４０の内外に備えられるＨＤＤなどの「固定用の物理媒体」、さらには、公衆回線、インターネット、ＬＡＮ、ＷＡＮなどを介してコンピュータ４０に接続される「他のコンピュータ（またはサーバ）」などに各プログラムを記憶させておき、コンピュータ４０がこれらから各プログラムを読み出して実行するようにしてもよい。
【０１０３】
また、図１８に示すように、携帯端末装置としてのコンピュータ６０は、通信制御Ｉ／Ｆ部６１、入力部６２、出力部６３、ＨＤＤ６４、ＲＡＭ６５、ＲＯＭ６６およびＣＰＵ６７をバス７０で接続して構成される。ここで、通信制御Ｉ／Ｆ部６１、入力部６２および出力部６３は、図１４に示した通信制御Ｉ／Ｆ部１１、入力部１２および出力部１３にそれぞれ対応する。
【０１０４】
そして、ＲＯＭ６６には、上記の実施例に示した携帯端末装置１０と同様の機能を発揮するリクエスト送受信制御プログラム、つまり、図１８に示すように、データ送受信プログラム６６ａ、情報入力受付プログラム６６ｂ、電話番号変換プログラム６６ｃ、表示制御プログラム６６ｄおよびテーブル処理プログラム６６ｅがあらかじめ記憶されている。なお、これらのプログラム６６ａ、６６ｂ、６６ｃ、６６ｄおよび６６ｅについては、図１４に示した携帯端末装置１０の各構成要素と同様、適宜統合または分散してもよい。なお、ＲＯＭ６６は、不揮発性の「ＲＡＭ」でもよい。
【０１０５】
そして、ＣＰＵ６７が、これらのプログラム６６ａ、６６ｂ、６６ｃ、６６ｄおよび６６ｅをＲＯＭ６６から読み出して実行することで、図１８に示すように、各プログラム６６ａ、６６ｂ、６６ｃ、６６ｄおよび６６ｅは、データ送受信プロセス６７ａ、情報入力受付プロセス６７ｂ、電話番号変換プロセス６７ｃ、表示制御プロセス６７ｄおよびテーブル処理プロセス６７ｅとして機能するようになる。なお、各プロセス６７ａ、６７ｂ、６７ｃ、６７ｄおよび６７eは、図１４に示したデータ送受信部１５ａ、情報入力受付部１５ｂ、電話番号変換部１５ｃ、表示制御部１５ｄおよびテーブル処理部１５ｅにそれぞれ対応する。
【０１０６】
また、ＨＤＤ６４には、図１８に示すように、電話番号隠蔽情報テーブル６４ａが設けられる。この電話番号隠蔽情報テーブル６４ａは、図１４に示した電話番号隠蔽情報テーブル１４ａに対応する。そして、ＣＰＵ６７は、電話番号隠蔽情報テーブル６４ａから電話番号隠蔽情報データ６５ａを読み出してＲＡＭ６５に格納し、ＲＡＭ６５に格納された電話番号隠蔽情報データ６５ａに基づいてリクエスト送受信制御処理を実行する。
【０１０７】
なお、上記した各プログラム６６ａ、６６ｂ、６６ｃ、６６ｄおよび６６ｅについては、必ずしも最初からＲＯＭ６６に記憶させておく必要はなく、例えば、コンピュータ６０に挿入されるフレキシブルディスク（ＦＤ）、ＣＤ−ＲＯＭ、ＤＶＤディスク、光磁気ディスク、ＩＣカードなどの「可搬用の物理媒体」、または、コンピュータ６０の内外に備えられるＨＤＤなどの「固定用の物理媒体」、さらには、公衆回線、インターネット、ＬＡＮ、ＷＡＮなどを介してコンピュータ６０に接続される「他のコンピュータ（またはサーバ）」などに各プログラムを記憶させておき、コンピュータ６０がこれらから各プログラムを読み出して実行するようにしてもよい。
【０１０８】
ところで、上記の実施例では、本発明に係る携帯端末装置にて行われる各種処理機能を説明したが、本発明はこれに限定されるものではなく、例えば、携帯端末装置にて行われる非通知発信リクエスト発信処理機能（図７または図１１参照）、および非通知着信リクエスト着信処理機能（図８または図１２参照）を基地局との間で相互に通信を行う交換機などに備えるようにしてもよい。
【０１０９】
例えば、携帯端末装置は、他のメンバの氏名情報と他のメンバが利用する携帯端末装置の電話番号情報についてスクランブルを施したスクランブル情報とを対応付けて記憶するテーブルを予め保持する。そして、交換機は、スクランブル情報を解読する機能を備えるとともに、携帯端末装置の利用者の氏名情報と電話番号情報とを対応付けて記憶するテーブルを予め保持する。
【０１１０】
利用者から着信先の氏名の選択を受け付けた携帯端末装置は、選択された氏名に対応するスクランブル情報を抽出して、抽出したスクランブル情報を含ませた発信リクエストを送信する。発信リクエストを受信した交換機は、発信リクエストに含まれるスクランブル情報を解読して着信先電話番号を特定するとともに、発信リクエストの発信元電話番号に対応する氏名情報を抽出する。そして、交換機は、特定した着信先電話番号に対して発信リクエストを転送するとともに、着信を示す着信画面が表示される携帯端末装置の表示部（ディスプレイなど）に抽出した氏名情報が示す氏名を表示制御する。
【０１１１】
このようなことから、本発明に係る携帯端末装置の機能を他の装置（例えば、交換機）に適用することによって、携帯端末装置に他のメンバの実際の電話番号情報を保持する必要がなく、個人情報の漏洩を積極的に防止することが可能である。
【０１１２】
（付記１）ネットワークを介して、発信リクエストの送信および着信リクエストの受信を行う携帯端末装置であって、
他の携帯端末装置の利用者の氏名情報と、当該他の携帯端末装置の電話番号情報とを対応付けて記憶する電話番号情報記憶手段と、
利用者から着信先として他の携帯端末装置の利用者の氏名の選択を受け付けた場合に、前記電話番号情報記憶手段に記憶されている電話番号情報の中から、当該選択を受け付けた氏名に対応する着信先電話番号を検索して取得する着信先電話番号取得手段と、
前記着信先電話番号取得手段により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信手段と、
前記発信リクエスト送信手段により送信された前記発信リクエストを着信リクエストとして受信する着信リクエスト受信手段と、
前記着信リクエスト受信手段により着信リクエストを受信した場合に、当該着信リクエストに前記電話番号隠蔽フラグが含まれているか否か確認する電話番号隠蔽フラグ確認手段と、
前記電話番号隠蔽フラグ確認手段により前記着信リクエストに前記電話番号隠蔽フラグが付加されているものと確認された場合には、前記電話番号情報記憶手段に記憶されている携帯端末装置の利用者の氏名情報の中から、前記発信元電話番号に対応付けられた氏名を検索して取得する氏名情報取得手段と、
前記氏名情報取得手段により取得された前記氏名のみを表示部に表示するように制御する表示制御手段と、
を備えたことを特徴とする携帯端末装置。
【０１１３】
（付記２）前記電話番号情報記憶手段は、前記氏名情報および電話番号情報の有効期限をさらに記憶し、
前記電話番号情報記憶手段により記憶されている前記氏名情報および前記電話番号情報の有効期限を確認する有効期限確認手段をさらに備え、
前記発信リクエスト送信手段は、前記着信先電話番号取得手段により取得された着信先電話番号について、前記有効期限確認手段により前記有効期限を超過していないことが確認されている場合には、当該着信先電話番号に対して発信リクエストを送信するように制御し、
前記表示制御手段は、前記着信リクエスト受信手段により受信された前記着信リクエストについて、前記有効期限確認手段により前記電話番号情報の有効期限が超過していることが確認されている場合には、非通知表示を表示するように制御することを特徴とする付記１に記載の携帯端末装置。
【０１１４】
（付記３）前記電話番号情報記憶手段により記憶されている前記氏名情報、前記電話番号および前記有効期限の新規登録、変更および削除を受け付ける情報操作受付手段をさらに備えたことを特徴とする付記１または２に記載の携帯端末装置。
【０１１５】
（付記４）前記情報操作受付手段は、ネットワーク配信を介して、前記電話番号情報記憶手段により記憶されている前記氏名情報、前記電話番号および前記有効期限の新規登録、変更および削除を受け付けることを特徴とする付記３に記載の携帯端末装置。
【０１１６】
（付記５）前記情報操作受付手段は、外部媒体を介して、前記電話番号情報記憶手段により記憶されている前記氏名情報、前記電話番号および前記有効期限の新規登録、変更および削除を受け付けることを特徴とする付記３に記載の携帯端末装置。
【０１１７】
（付記６）前記電話番号情報記憶手段により記憶されている前記氏名情報および前記電話番号情報について、前記有効期限確認手段により有効期限を超過しているか否か定期的に確認して、確認の結果、当該有効期限を超過していることが確認された場合には、当該有効期限を超過している氏名情報および電話番号情報を削除する情報削除手段をさらに備えたことを特徴とする付記２〜５のいずれか一つに記載の携帯端末装置。
【０１１８】
（付記７）ネットワークを介した発信リクエストおよび着信リクエストの送受信を制御するリクエスト送受信制御方法であって、
他の携帯端末装置の利用者の氏名情報と、当該他の携帯端末装置の電話番号情報とを対応付けて記憶する電話番号情報記憶工程と、
利用者から着信先として他の携帯端末装置の利用者の氏名の選択を受け付けた場合に、前記電話番号情報記憶工程に記憶されている電話番号情報の中から、当該選択を受け付けた氏名に対応する着信先電話番号を検索して取得する着信先電話番号取得工程と、
前記着信先電話番号取得工程により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信工程と、
前記発信リクエスト送信工程により送信された前記発信リクエストを着信リクエストとして受信する着信リクエスト受信工程と、
前記発信リクエスト受信工程により前記発信リクエストを受信した場合に、当該発信リクエストに前記電話番号隠蔽フラグが含まれているか否か確認する電話番号隠蔽フラグ確認工程と、
前記電話番号隠蔽フラグ確認工程により前記着信リクエストに前記電話番号隠蔽フラグが付加されているものと確認された場合には、前記電話番号情報記憶工程に記憶されている携帯端末装置の利用者の氏名情報の中から、前記発信元電話番号に対応付けられた氏名を検索して取得する氏名情報取得工程と、
前記氏名情報取得工程により取得された前記氏名のみを表示部に表示するように制御する表示制御工程と、
を含んだことを特徴とするリクエスト送受信制御方法。
【０１１９】
（付記８）前記電話番号情報記憶工程は、前記氏名情報および電話番号情報の有効期限をさらに記憶し、
前記電話番号情報記憶工程により記憶されている前記氏名情報および前記電話番号情報の有効期限を確認する有効期限確認工程をさらに含み、
前記発信リクエスト送信工程は、前記着信先電話番号取得工程により取得された着信先電話番号について、前記有効期限確認工程により前記有効期限を超過していないことが確認されている場合には、当該着信先電話番号情報に対して発信リクエストを送信するように制御し、
前記表示制御工程は、前記着信リクエスト受信工程により受信された着信リクエストについて、前記有効期限確認工程により前記電話番号情報の有効期限が超過していることが確認されている場合には、非通知表示を表示するように制御することを特徴とする付記７に記載のリクエスト送受信制御方法。
【０１２０】
（付記９）前記電話番号情報記憶工程により記憶されている前記氏名情報、前記電話番号および前記有効期限の新規登録、変更および削除を受け付ける情報操作受付工程をさらに含んだことを特徴とする付記７または８に記載のリクエスト送受信制御方法。
【０１２１】
（付記１０）前記情報操作受付工程は、ネットワーク配信を介して、前記電話番号情報記憶工程により記憶されている前記氏名情報、前記電話番号および前記有効期限の新規登録、変更および削除を受け付けることを特徴とする付記９に記載のリクエスト送受信制御方法。
【０１２２】
（付記１１）前記情報操作受付工程は、外部媒体を介して、前記電話番号情報記憶工程により記憶されている前記氏名情報、前記電話番号および前記有効期限の新規登録、変更および削除を受け付けることを特徴とする付記９に記載のリクエスト送受信制御方法。
【０１２３】
（付記１２）前記電話番号情報記憶工程により記憶されている前記氏名情報および前記電話番号情報について、前記有効期限確認工程により有効期限を超過しているか否か定期的に確認して、確認の結果、当該有効期限を超過していることが確認された場合には、当該有効期限を超過している氏名情報および電話番号情報を削除する情報削除工程をさらに含んだことを特徴とする付記８〜１１のいずれか一つに記載のリクエスト送受信制御方法。
【０１２４】
（付記１３）ネットワークを介した発信リクエストおよび着信リクエストの送受信を制御するリクエスト送受信制御方法を携帯端末装置としてのコンピュータに実行させるリクエスト送受信制御プログラムであって、
他の携帯端末装置の利用者の氏名情報と、当該他の携帯端末装置の電話番号情報とを対応付けて記憶する電話番号情報記憶手順と、
利用者から着信先として他の携帯端末装置の利用者の氏名の選択を受け付けた場合に、前記電話番号情報記憶手順により所定の記憶部に記憶されている電話番号情報の中から、当該選択を受け付けた氏名に対応する着信先電話番号を検索して取得する着信先電話番号取得手順と、
前記着信先電話番号取得手順により取得された前記着信先電話番号に対して、発信元である携帯端末装置の発信元電話番号および当該発信元電話番号を隠蔽するための電話番号隠蔽フラグを含んだ発信リクエストを送信するように制御する発信リクエスト送信手順と、
前記発信リクエスト送信手順により送信された前記発信リクエストを着信リクエストとして受信する着信リクエスト受信手順と、
前記着信リクエスト受信手順により前記着信リクエストを受信した場合に、当該着信リクエストに前記電話番号隠蔽フラグが含まれているか否か確認する電話番号隠蔽フラグ確認手順と、
前記電話番号隠蔽フラグ確認手順により前記着信リクエストに前記電話番号隠蔽フラグが付加されているものと確認された場合には、前記電話番号情報記憶手順に所定の記憶部に記憶されている携帯端末装置の利用者の氏名情報の中から、前記発信元電話番号に対応付けられた氏名を検索して取得する氏名情報取得手順と、
前記氏名情報取得手順により取得された前記氏名のみを表示部に表示するように制御する表示制御手順と、
を携帯端末装置としてのコンピュータに実行させることを特徴とするリクエスト送受信制御プログラム。
【０１２５】
（付記１４）前記電話番号情報記憶手順は、前記氏名情報および電話番号情報の有効期限を所定の記憶部にさらに記憶し、
前記電話番号情報記憶手順により所定の記憶部に記憶されている前記氏名情報および前記電話番号情報の有効期限を確認する有効期限確認手順を携帯端末装置としてのコンピュータにさらに実行させ、
前記発信リクエスト送信手順は、前記着信先電話番号取得手順により取得された着信先電話番号について、前記有効期限確認手順により前記有効期限を超過していないことが確認されている場合には、当該着信先電話番号情報に対して発信リクエストを送信するように制御し、
前記表示制御手順は、前記着信リクエスト受信手順により受信された前記着信リクエストについて、前記有効期限確認手順により前記電話番号情報の有効期限が超過していることが確認されている場合には、非通知表示を表示するように制御することを特徴とする付記１３に記載のリクエスト送受信制御プログラム。
【０１２６】
（付記１５）前記電話番号情報記憶手順により所定の記憶部に記憶されている前記氏名情報、前記電話番号および前記有効期限の新規登録、変更および削除を受け付ける情報操作受付手順を携帯端末装置としてのコンピュータにさらに実行させることを特徴とする付記１３または１４に記載のリクエスト送受信制御プログラム。
【０１２７】
（付記１６）前記情報操作受付手順は、ネットワーク配信を介して、前記電話番号情報記憶手順により所定の記憶部に記憶されている前記氏名情報、前記電話番号および前記有効期限の新規登録、変更および削除を受け付けることを特徴とする付記１５に記載のリクエスト送受信制御プログラム。
【０１２８】
（付記１７）前記情報操作受付手順は、外部媒体を介して、前記電話番号情報記憶手順により所定の記憶部に記憶されている前記氏名情報、前記電話番号および前記有効期限の新規登録、変更および削除を受け付けることを特徴とする付記１５に記載のリクエスト送受信制御プログラム。
【０１２９】
（付記１８）前記電話番号情報記憶手順により所定の記憶部に記憶されている前記氏名情報および前記電話番号情報について、前記有効期限確認手順により有効期限を超過しているか否か定期的に確認して、確認の結果、当該有効期限を超過していることが確認された場合には、当該有効期限を超過している氏名情報および電話番号情報を削除する情報削除手順を携帯端末装置としてのコンピュータにさらに実行させることを特徴とする付記１４〜１７のいずれか一つに記載のリクエスト送受信制御プログラム。
【０１３０】
（付記１９）発信元である携帯端末装置から送信され、着信先である携帯端末装置へ受信される発信リクエストの送受信を制御するリクエスト送受信制御装置であって、
携帯端末装置の利用者の氏名情報に対応付けて、当該携帯端末装置の電話番号情報を記憶する電話番号情報記憶手段と、
前記発信元である携帯端末装置から発信元電話番号および当該発信元電話番号を隠蔽するための電話番号隠蔽フラグを含んだ前記着信先の携帯端末装置に対する発信リクエストを受信した場合に、前記電話番号情報記憶手段により記憶されている前記氏名情報の中から、当該発信元電話番号に対応付けられた氏名を検索して取得する氏名情報取得手段と、
前記発信リクエストを前記着信先である携帯端末装置へ転送する際に、前記氏名情報取得手段により取得された前記氏名を当該着信先である携帯端末装置の表示部へ表示制御する表示制御手段と、
を備えたことを特徴とするリクエスト送受信制御装置。
【０１３１】
（付記２０）前記電話番号情報記憶手段は、前記氏名情報および電話番号情報の有効期限をさらに記憶し、
前記電話番号情報記憶手段により記憶されている前記氏名情報および前記電話番号情報の有効期限を定期的に確認する有効期限確認手段をさらに備え、
前記発信リクエスト送信手段は、前記着信先である携帯端末装置の前記氏名情報および前記電話番号情報について、前記有効期限確認手順により前記有効期限を超過していないことが確認されている場合には、当該電話番号情報に対して発信リクエストを送信するように制御し、
前記表示制御手段は、前記発信リクエストを前記着信先である携帯端末装置へ転送する際に、前記有効期限確認手段により前記電話番号情報の有効期限が超過していることが確認されている場合には、非通知表示を表示するように制御することを特徴とする付記１９に記載のリクエスト送受信制御装置。
【産業上の利用可能性】
【０１３２】
以上のように、本発明に係る携帯端末装置、リクエスト送受信制御方法およびリクエスト送受信制御プログラムは、ネットワークを介して、発信リクエストの送信および着信リクエストの受信を行うに有用であり、特に、相互に電話番号を明示的に教え合うことなく通話することができ、個人情報の保護を十分に図ることに適する。
【図面の簡単な説明】
【０１３３】
【図１】実施例１に係る携帯端末装置の概要および特徴を説明するための図である。
【図２】実施例１に係る非通知発信リクエストのデータ構成例を示す図である。
【図３】実施例１に係る隠蔽情報のパラメータを説明するための図である。
【図４】実施例１に係る携帯端末装置の構成を示すブロック図である。
【図５】実施例１に係る電話番号隠蔽情報テーブルのデータ構成例を示す図である。
【図６】実施例１に係る着信画面のイメージを示す図である。
【図７】実施例１に係る非通知発信リクエストの発信処理の流れを示すフローチャートである。
【図８】実施例１に係る非通知着信リクエストの着信処理の流れを示すフローチャートである。
【図９】実施例２に係る電話番号隠蔽情報テーブルのデータ構成例を示す図である。
【図１０】実施例２に係る有効期限切れの表示画面のイメージを示す図である。
【図１１】実施例２に係る非通知発信リクエストの発信処理の流れを示すフローチャートである。
【図１２】実施例２に係る非通知着信リクエストの着信処理の流れを示すフローチャートである。
【図１３】実施例３に係る携帯端末装置の概要および特徴を説明するための図である。
【図１４】実施例３に係る携帯端末装置の構成を示すブロック図である。
【図１５】実施例３に係る電話番号隠蔽情報テーブル更新処理の流れを示すフローチャートである。
【図１６】実施例４に係るテーブルデータ自動削除処理の流れを示すフローチャートである。
【図１７】リクエスト送受信制御プログラムを実行するコンピュータを示す図である。
【図１８】リクエスト送受信制御プログラムを実行するコンピュータを示す図である。
【符号の説明】
【０１３４】
１  基地局
２  ネットワーク
１０  携帯端末装置
１１  通信制御Ｉ／Ｆ部
１２  入力部
１３  出力部
１４  記憶部
１４ａ  電話番号隠蔽情報テーブル
１５  制御部
１５ａ  データ送受信部
１５ｂ  情報入力受付部
１５ｃ  電話番号変換部
１５ｄ  表示制御部
１５ｅ  テーブル処理部
２０  管理者サーバ
３０  メンバ携帯端末装置
４０  コンピュータ
４１  通信制御Ｉ／Ｆ部
４２  入力部
４３  出力部
４４  ＨＤＤ（Hard Disk Drive）
４４ａ  電話番号隠蔽情報テーブル
４５  ＲＡＭ（Random Access Memory）
４５ａ  電話番号隠蔽情報データ
４６  ＲＯＭ（Read Only Memory）
４６ａ  データ送受信プログラム
４６ｂ  情報入力受付プログラム
４６ｃ  電話番号変換プログラム
４６ｄ  表示制御プログラム
４７  ＣＰＵ（Central Processing Unit）
４７ａ  データ送受信プロセス
４７ｂ  情報入力受付プロセス
４７ｃ  電話番号変換プロセス
４７ｄ  表示制御プロセス
５０  バス
６０  コンピュータ
６１  通信制御Ｉ／Ｆ部
６２  入力部
６３  出力部
６４  ＨＤＤ（Hard Disk Drive）
６４ａ  電話番号隠蔽情報テーブル
６５  ＲＡＭ（Random Access Memory）
６５ａ  電話番号隠蔽情報データ
６６  ＲＯＭ（Read Only Memory）
６６ａ  データ送受信プログラム
６６ｂ  情報入力受付プログラム
６６ｃ  電話番号変換プログラム
６６ｄ  表示制御プログラム
６６ｅ  テーブル処理プログラム
６７  ＣＰＵ（Central Processing Unit）
６７ａ  データ送受信プロセス
６７ｂ  情報入力受付プロセス
６７ｃ  電話番号変換プロセス
６７ｄ  表示制御プロセス
６７ｅ  テーブル処理プロセス
７０  バス
【図１】
2008109223.tif 000003
【図２】
2008109223.tif 000004
【図３】
2008109223.tif 000005
【図４】
2008109223.tif 000006
【図５】
2008109223.tif 000007
【図６】
2008109223.tif 000008
【図７】
2008109223.tif 000009
【図８】
2008109223.tif 000010
【図９】
2008109223.tif 000011
【図１０】
2008109223.tif 000012
【図１１】
2008109223.tif 000013
【図１２】
2008109223.tif 000014
【図１３】
2008109223.tif 000015
【図１４】
2008109223.tif 000016
【図１５】
2008109223.tif 000017
【図１６】
2008109223.tif 000018
【図１７】
2008109223.tif 000019
【図１８】
2008109223.tif 000020